(57)【要約】【課題】エアコンが設置されている部屋のドアや窓が開けられている場合には、エアコンの動作を制限する或いは停止させることによって、エアコン動作のためのエネルギーを無駄に消費することを防止できる無線テレコントロールシステムを提供する。【解決手段】通信回線を介した遠隔操作によってエアコン動作がオンとされたとき（Ｓ７）、室温データを取得・記憶して、エアコン動作時における単位時間当たりの室温変化量が記憶される（Ｓ１０）。幾つかの室温変化量に基づいてエアコン動作時の室温変化基準値が算出し記憶されているので、室温変化量と室温変化基準値との比較において（Ｓ１２）、室温変化量が室温変化基準値未満のときは、室内機が設置されている窓やドアが開いていると判断され、リモコンによってエアコン動作オフと送信され（Ｓ１３）、その旨が遠隔操作元に通報される（Ｓ１４）。【選択図】図４
2008089284.tif 000002
【特許請求の範囲】
【請求項１】
センター側網制御装置、当該センター側網制御装置と通信回線を介して接続された端末側網制御装置、当該端末側網制御装置に接続された無線親機、リモートコントロール機能を有し且つ前記無線親機と無線回線を介して通信を行う無線子機、及び前記無線子機から送信される赤外線信号で動作するエアコンディショナーで構成されている無線テレコントロールステムにおいて、
前記エアコンディショナーの室内機が設置された部屋の前記エアコンディショナー動作時における単位時間当たりの室温変化量を記憶するとともに、前記記憶した単位時間当たりの室温変化量に基づいて室温変化基準値を算出することを特徴とする、無線テレコントロールシステム。
【請求項２】
前記室温変化量の記憶は、前記エアコンディショナーの動作が前記無線子機のリモートコントロール操作によってされた場合に行われることを特徴とする、請求項１記載の無線テレコントロールシステム。
【請求項３】
前記室温変化基準値の算出は、１ヶ月未満の直前短期期間内で且つ直近の所定回数の前記エアコンディショナーの運転動作について記憶された前記室温変化量に基づいて行われることを特徴とする、請求項１又は２記載の無線テレコントロールシステム。
【請求項４】
前記室温変化基準値の算出は、１ヶ月未満の直前短期期間内に算出するデータが存在しない場合には、１ヶ月間内に記憶された前記室温変化量に基づいて行い、当該１ヶ月間のデータも存在しない場合には、予め月ごとに設定されている値を当該室温変化基準値とすることを特徴とする、請求項１又は２記載の無線テレコントロールシステム。
【請求項５】
前記エアコンディショナーの動作が前記通信回線を介した遠隔操作によってされた場合に、前記単位時間当たりの室温変化量が前記室温変化基準値に達しないとき、当該遠隔操作元にその旨の通報を行うことを特徴とする、請求項１〜４のいずれか１項記載の無線テレコントロールシステム。
【請求項６】
前記エアコンディショナーの動作が前記通信回線を介した遠隔操作によってされた場合に、前記単位時間当たりの室温変化量が前記室温変化基準値に達しないとき、前記エアコンディショナーを停止させると共に当該遠隔操作元に当該停止を含むその旨の通報を行うことを特徴とする、請求項１〜４のいずれか１項記載の無線テレコントロールシステム。    
【請求項７】
前記エアコンディショナーの停止後、再度、前記通信回線を介した遠隔操作により前記エアコンディショナーを動作させた場合、前記単位時間当たりの室温変化量と前記の室温変化基準値との比較を行わないことを特徴とする、請求項６記載の無線テレコントロールシステム。
【発明の詳細な説明】
【技術分野】
【０００１】
本発明は、センター側網制御装置と通信回線を介して接続された端末側網制御装置（以下、「Ｔ−ＮＣＵ」と略す）と、Ｔ−ＮＣＵに接続された無線親機（以下、「親機」と略す）と、親機と無線回線を介して通信を行う無線子機（以下、「子機」と略す）と、子機から送信される赤外線信号で動作するエアコンディショナー（空気調和機）で構成される、エアコンディショナーの動作制御のための無線テレコントロールシステムに関する。
【背景技術】
【０００２】
従来、エアコンディショナーのＯＮ／ＯＦＦ制御を、テレコントロールシステムによる通信回線を介した遠隔操作で行うことが提案されている。また、遠隔監視装置のように、温度センサで室温を監視し、当該温度センサで検出した室温と動作モード毎に予め記憶されている閾値との比較を行い、閾値を越えた場合、機器の異常として通報を行うものがある（特許文献１参照）。
【特許文献１】特開平１１−３９４３３６公報
【発明の開示】
【発明が解決しようとする課題】
【０００３】
上記のような従来のテレコントロールシステムでは、通信回線を介した遠隔操作によるエアコンディショナーのＯＮ／ＯＦＦ制御や、室温監視による機器異常の検出が可能であったが、制御するエアコンディショナーが設置されている部屋のドアや窓が開けられている場合には、通信回線を介した遠隔操作によってエアコンディショナーをＯＮしたときの空調効率が悪いという問題がある。また、そうしたエネルギーを無駄に消費する状態に対する回避手段を備えていないという問題もある。
【課題を解決するための手段】
【０００４】
本発明は、上記課題を解決するため、センター側網制御装置、当該センター側網制御装置と通信回線を介して接続された端末側網制御装置、当該端末側網制御装置に接続された無線親機、リモートコントロール機能を有し且つ無線親機と無線回線を介して通信を行う無線子機、及び無線子機から送信される赤外線信号で動作するエアコンディショナーで構成されている無線テレコントロールステムにおいて、エアコンの室内機が設置された部屋のエアコンディショナー動作時における単位時間当たりの室温変化量を記憶し、室温変化量に基づいてエアコンディショナー動作時の室温変化基準値を算出している。
【０００５】
本発明の無線テレコントロールシステムにより、エアコンディショナー動作時における単位時間当たりの室温変化量が記憶され、幾つかの室温変化量に基づいてエアコンディショナー動作時の室温変化基準値を算出しているので、エアコンディショナーの動作の正常性を一律な条件下で判断するのではなく、エアコンディショナーの設置環境及び実際の使用条件を加味して判断することができ、エアコンディショナーの動作状況を実際に則して判断することができる。
【０００６】
また、通信回線を介した遠隔操作によってエアコンディショナーをＯＮした場合では、部屋のドアや窓が開けられていることにより空調の効率が悪い場合があるが、そうした場合には室温変化量と室温変化基準値との比較の上でエアコンディショナーの作動をＯＦＦすることができる。また、単位時間当たりの室温変化量の記憶は、無線子機に備わるリモートコントロール用のスイッチ操作でエアコンディショナーを動作させた場合に行うことにより、部屋に人が居て、無線子機を手にしてリモートコントロールでエアコンディショナーを動作させた場合に限って、室温変化基準値の算出の元になる幾つかの室温変化量を記憶させることができる。更に、通信回線を介した遠隔操作によってエアコンディショナーを動作させた場合、単位時間当たりの室温変化量が前記基準値と異なる場合、遠隔操作元にその旨の通報を行う、又はエアコンディショナーの動作を停止させることができる。
【発明の効果】
【０００７】
以上の説明で明らかな様に、エアコンディショナーが設置されている部屋のドアや窓が開けられている場合には、室温変化量が小さいことを知ることができるので、エアコンディショナーの動作を制限する或いは停止させることによって、エアコンディショナー動作のためのエネルギーを無駄に消費することを防止できる。また、子機本体のスイッチ操作でエアコンディショナーをＯＮした場合の単位時間当たりの室温変化量から室温変化の基準値を算出・記憶するので、エアコンディショナーが設置されている部屋の環境に応じた基準値を取得することがでる。
【発明を実施するための最良の形態】
【０００８】
以下、本発明による無線テレコントロールシステムの実施の形態を、図面を用いて詳細に説明する。図１は、本発明による無線テレコントロールシステムの一実施例の形態を示すシステム構成図である。図１に示されている当該無線テレコントロールシステムは、電話機１と電話網で接続されているホストコンピュータ２に接続されたセンター側網制御装置３と、電話網等の通信回線を介して接続されたＴ−ＮＣＵ４と、Ｔ−ＮＣＵ４に接続された親機５と、親機５と無線回線を介して通信を行う子機６と、子機６から送信される赤外線信号で動作するエアコンディショナー（以下、「エアコン」と略す）７によって構成されている。
【０００９】
図２は、本発明による無線テレコントロールシステムにおける子機６の構成を示すブロック図である。図２に示されている子機６は、アンテナ８と、アンテナ８に接続され、親機５と無線通信を行うための無線部９と、子機６の動作を制御する制御部１０と、エアコン７に対して赤外信号を送信するリモートコントロール（以下、「リモコン」と略す）信号送信部１１と、エアコン７の操作を行うためのリモコンスイッチ部１２と、室温を測定するための温度センサ部１３と、エアコン動作時の単位時間当たりの室温変化量を記憶する記憶部１４とによって構成されている。
【００１０】
図３は、本発明の無線テレコントロールシステムにおいて、子機６のリモコンスイッチ部１２の操作によってエアコン７を動作させる場合の子機６の動作を示すフローチャートである。
【００１１】
子機６のリモコンスイッチ部１２に備わるエアコンＯＮスイッチが押下された場合、子機６の制御部１０は、リモコン信号送信部１１を駆動し、エアコン７に対して電源ＯＮの赤外線信号を送信する（ステップＳ１、以下「ステップ」は省略する）。制御部１０は、赤外線信号送信後、温度センサ部１３により室温データを取得する（Ｓ２）。エアコン７の動作時間が６０分経過するまで時間のカウントを行う（Ｓ３）。動作時間が６０分を経過すると、制御部１０は、再度、温度センサ部１３により室温データを取得する（Ｓ４）。制御部１０は、エアコン７の動作開始時の室温データと６０分経過時の室温データの差を求め、室温変化量として動作月と関連付けて記憶する。
【００１２】
月ごとに記憶する室温変化量の個数については、例えば１０個とし、同一月に１１個以上の室温変化量を取得した場合は古いものから順に消去して、新しいデータを記憶する（Ｓ５）。制御部１０は前記記憶した同一月の室温変化量のうち、一ヶ月以内の直前短期期間、例えば直前の２週間以内における直近の所定回数、例えば３回のエアコン動作のデータについてそれらの平均値を算出し、これに許容分を加えた値を室温変化基準値として記憶する（Ｓ６）。例えば、室温３２℃の広さ６帖の部屋において、設定温度２８℃でエアコンを動作させた場合、窓等が閉ざされているときの動作開始６０分後の室温は、ほぼ２８℃となるので室温変化量は４℃となる。これに対して、窓及びドアが開けられていた場合の動作開始６０分後の室温変化量は１℃以内の低下となる。これより、直近３回の室温変化量データの平均値を４℃とし、許容分を１℃とすれば、室温変化基準値は３℃（冷房の場合であるので、実際は−３℃）となり、窓及びドアが開けられていた場合、室温の変化（−１℃）が室温変化基準値（−３℃）に達しないので、窓及びドアが開いている状態であると判断することができる。
【００１３】
また、一ヶ月以内の直前短期期間である２週間以内に直近３回のデータが無い場合、１ヶ月間の室温変化量を基にして、同様に室温変化基準値を算出する。更に、１ヶ月間の室温変化量データも存在しない場合には、予め月毎に設定されている値を基準値とする。
【００１４】
本発明による無線テレコントロールシステムにおいては、上述のように、リモコンスイッチ部１２に備わるエアコンＯＮスイッチが押下された場合というのは、即ち、在室している人が部屋のドアや窓が閉ざした状態でエアコンを利用しているとすることができる。そうしたときの単位時間当たりの室温変化量を記憶し、室温変化基準値を算出し記憶するので、エアコンが設置されている部屋の環境に応じた、またユーザーの使用条件を反映した室温変化基準値を取得することができる。
【００１５】
外出先からエアコン７をＯＮする場合、図１に示すシステム構成図では、電話機１から電話網を通して、無線テレコントロールシステムのホストコンピュータ２に接続する。ホストコンピュータ２は電話機１から指定された子機６が接続されているＴ−ＮＣＵ４に対して、センター側網制御装置３を通して呼出を行う。ホストコンピュータ２はＴ−ＮＣＵ４が応答すると、電話機１に対して、接続完了を告げる。電話機１よりエアコン７のＯＮ指示を行うと、Ｔ−ＮＣＵ４に接続されている親機５は子機６に対して無線呼出を行い、子機６が応答すると、エアコン７のＯＮ指示を送信する。
【００１６】
図４は、本発明の無線テレコントロールシステムにおいて、通信回線を介した遠隔操作により、エアコン７を動作させた場合の子機６の動作を示すフローチャートである。子機６の制御部１０は、無線部９によってエアコンＯＮ指示を受信すると、リモコン信号送信部１１を駆動し、エアコン７に対して電源ＯＮの赤外線信号を送信する（Ｓ７）。制御部１０は、赤外線信号送信後、温度センサ部１３により室温データを取得し（Ｓ８）、エアコン７の動作時間が６０分経過するまで時間のカウントを行う（Ｓ９）。動作時間が６０分を経過すると、制御部１０は、再度、温度センサ部１３により室温データを取得する（Ｓ１０）。
【００１７】
制御部１０は、エアコン７の動作開始時の室温データと６０分経過時の室温データの差として室温変化量を求め（Ｓ１１）、記憶部１４に記憶している室温変化基準値と比較を行う（Ｓ１２）。室温変化量が室温変化基準値を超えている場合、制御部１０は、エアコン７による空調が正常に行われていると判断し、エアコン７は待機状態となる。室温変化量が室温変化基準値を超えていない場合、制御部１０は、部屋のドアや窓が開けられている等、エアコン７による空調が正常に行われていない状況にあると判断し、リモコン信号送信部１１を駆動し、エアコン７に対して電源ＯＦＦの赤外線信号を送信する（Ｓ１３）。制御部１０は、エアコン７をＯＦＦした後、無線部９を駆動し、親機５〜ホストコンピュータ２を通して、遠隔操作元としての電話機１に対して室温変化量が室温変化基準値に至らなかったため、エアコン７をＯＦＦしたことを通報する（Ｓ１４）。
【００１８】
室温変化が基準値を超えずエアコン７をＯＦＦした後に、再度、通信回線を介した遠隔操作によってエアコン７のＯＮが行われた場合、子機６の制御部１０は室温データの取得、室温変化量と室温変化基準値との比較動作を行わない。
【００１９】
本発明による無線テレコントロールシステムは、以上のように動作するので、通信回線を介した遠隔操作によってエアコンをＯＮした場合で、部屋のドアや窓が開けられていることにより空調の効率が悪いときにはエアコンをＯＦＦするので、エネルギーを無駄に消費することを防止できる。また、エアコンがＯＦＦされた後、再度、ＯＮ指示をすることで、空調の効率が悪い場合でもエアコンをＯＮ状態にすることができる。
【図面の簡単な説明】
【００２０】
【図１】本発明の無線テレコントロールシステムにおける、一実施例の形態を示すシステム構成図である。
【図２】本発明の無線テレコントロールシステムにおける子機の構成を示すブロック図である。
【図３】本発明の無線テレコントロールシステムにおいて、子機のリモコンスイッチの操作により、エアコン７を動作させた場合の子機の動作を示すフローチャートである。
【図４】本発明の無線テレコントロールシステムにおいて、遠隔操作により、エアコンを動作させた場合の子機の動作を示すフローチャートである。
【符号の説明】
【００２１】
１    電話機
２    ホストコンピュータ
３    センター側網制御装置
４    Ｔ−ＮＣＵ
５    無線親機
６    無線子機
７    エアコン
８    アンテナ
９    無線部
１０    制御部
１１    リモコン信号送信部
１２    リモコンスイッチ部
１３    温度センサ部
１４    記憶部
【図１】
2008089284.tif 000003
【図２】
2008089284.tif 000004
【図３】
2008089284.tif 000005
【図４】
2008089284.tif 000006